(57)【要約】【課題】映像信号に基づいて映像を判断し、焼き付き防止のための最適な制御を行うこと。【解決手段】映像信号を解析し、解析結果から映像の種別を判別する映像信号解析ブロック１１０と、映像の種別に応じて、映像信号のゲインの値を制御する機能制御ブロック１２０と、機能制御ブロック１２０で制御されたゲインに基づいて映像信号を調整する映像信号制御部１２２と、映像信号に応じて自発光する複数の画素が配置され、映像信号制御部１２２により調整された映像信号に基づいて映像を表示する表示パネル３００と、を備える。【選択図】図１
2010139783.tif 000002
【特許請求の範囲】
【請求項１】
映像信号を解析し、解析結果から映像の種別を判別する映像信号解析部と、
前記映像の種別に応じて、映像信号のゲインの値を制御するゲイン制御部と、
前記ゲイン制御部で制御されたゲインに基づいて映像信号を調整する映像信号調整部と、
映像信号に応じて自発光する複数の画素が配置され、前記映像信号調整部により調整された映像信号に基づいて映像を表示する表示パネルと、
を備える、表示装置。
【請求項２】
映像信号の輝度のヒストグラムを検出するヒストグラム生成部を備え、
前記映像信号解析部は、映像信号の複数のフレーム間で前記ヒストグラムを比較した結果に基づいて、映像信号が静止画に対応する信号であるか否かを解析する、請求項１に記載の表示装置。
【請求項３】
映像信号の輝度の分布を示すヒストグラムを検出するヒストグラム生成部と、
複数のフレーム間で特徴点の動きベクトルを検出する動きベクトル検出部と、を備え、
前記映像信号解析部は、映像信号の複数のフレーム間で前記ヒストグラムを比較した結果と、前記動きベクトルのベクトル量とに基づいて、映像信号が静止画、部分動画又は動画に対応する信号であるか否かを解析する、請求項１に記載の表示装置。
【請求項４】
映像信号の輝度の分布を示すヒストグラムを検出するヒストグラム生成部を備え、
前記映像信号解析部は、前記ヒストグラムから得られる映像信号の輝度の偏りに基づいて、映像信号がテキスト情報に対応する信号であるか否かを解析する、請求項１に記載の表示装置。
【請求項５】
映像信号の輝度の分布を示すヒストグラムを検出するヒストグラム生成部と、
複数のフレーム間で特徴点の動きベクトルを検出する動きベクトル検出部と、を備え、
前記映像信号解析部は、映像信号の複数のフレーム間で前記ヒストグラムを比較した結果と、前記動きベクトルのベクトル量とに基づいて、映像信号が静止画、部分動画又は動画に対応する信号であるか否かを解析し、
静止画の継続する時間を記録する静止画継続時間記録部と、
静止画と動画が交互に繰り返されたか否かを判定する判定部と、
を備える、請求項１に記載の表示装置。
【請求項６】
表示パネルにフレーム毎に入力される映像信号を解析し、解析結果から映像の種別を判別するステップと、
前記映像の種別に応じて、映像信号のゲインの値を制御するステップと、
前記ゲイン制御部で制御されたゲインに基づいて映像信号を調整するステップと、
を備える、表示装置の駆動方法。
【請求項７】
前記映像の種別を判別するステップにおいて、映像信号の輝度の分布を示すヒストグラムを検出し、
映像信号の複数のフレーム間で前記ヒストグラムを比較した結果に基づいて、映像信号が静止画に対応する信号であるか否かを解析する、請求項６に記載の表示装置の駆動方法。
【請求項８】
前記映像の種別を判別するステップにおいて、映像信号の輝度の分布を示すヒストグラムを検出するとともに、複数のフレーム間で特徴点の動きベクトルを検出し、映像信号の複数のフレーム間で前記ヒストグラムを比較した結果と、前記動きベクトルのベクトル量とに基づいて、映像信号が静止画、部分動画又は動画に対応する信号であるか否かを解析する、請求項６に記載の表示装置の駆動方法。
【請求項９】
前記映像の種別を判別するステップにおいて、映像信号の輝度の分布を示すヒストグラムを検出し、前記ヒストグラムから得られる映像信号の輝度の偏りに基づいて、映像信号がテキスト情報に対応する信号であるか否かを解析する、請求項６に記載の表示装置の駆動方法。
【請求項１０】
前記映像の種別を判別するステップにおいて、映像信号の輝度の分布を示すヒストグラムを検出するとともに、複数のフレーム間で特徴点の動きベクトルを検出し、映像信号の複数のフレーム間で前記ヒストグラムを比較した結果と前記動きベクトルのベクトル量とに基づいて、映像信号が静止画又は動画に対応する信号であるか否かを解析し、
静止画の継続する時間と、静止画と動画が交互に繰り返されたか否かによって、映像信号がスライドショーに対応する信号であるか否かを判定する、請求項６に記載の表示装置の駆動方法。
【発明の詳細な説明】
【技術分野】
【０００１】
本発明は、表示装置及び表示装置の駆動方法に関する。
【背景技術】
【０００２】
従来から、平面で薄型の表示装置として、液晶を用いた液晶表示装置、プラズマを用いたプラズマ表示装置等が実用化されている。
【０００３】
液晶表示装置は、バックライトを設け、電圧の印加によって液晶分子の配列を変化させることでバックライトからの光を通過させたり遮断したりすることで画像を表示する表示装置である。また、プラズマ表示装置は、基板内に封入されたガスに対して電圧を印加することでプラズマ状態となり、プラズマ状態から元の状態に戻る際に生じるエネルギーによって発生する紫外線が、蛍光体に照射されることで可視光となり、画像を表示する表示装置である。
【０００４】
一方、近年においては、電圧を印加すると素子自体が発光する有機ＥＬ（エレクトロルミネッセンス）素子を用いた自発光型の表示装置の開発が進んでいる。有機ＥＬ素子は、電解によってエネルギーを受けると、基底状態から励起状態へ変化し、励起状態から基底状態に戻るときに、差分のエネルギーを光として放出する。有機ＥＬ表示装置は、この有機ＥＬ素子が放出する光を用いて画像を表示する表示装置である。
【０００５】
自発光型表示装置は、バックライトを必要とする液晶表示装置とは異なり、素子が自ら発光するためにバックライトを必要としないため、液晶表示装置に比べて薄く構成することが可能である。また、液晶表示装置と比べて、動画特性、視野角特性、色再現性等が優れているため、有機ＥＬ表示装置は次世代の平面薄型表示装置として注目されている。
【０００６】
しかし、有機ＥＬ素子は、電圧を印加し続けると発光特性が劣化し、同じ電流を入力しても輝度が低下する。その結果、特定の画素の発光頻度が高い場合には、その特定の画素は他の画素に比べて発光特性が劣るため、いわゆる「焼き付き」現象が生じるという問題があった。
【０００７】
焼き付き現象に関して、例えば下記の特許文献１には、複数の種類の入力信号に対応した画像表示装置において、入力信号の種類によらず良好な表示品質を維持しつつ、焼き付きを軽減することを想定した技術が記載されている。
【０００８】
【特許文献１】特開２００７−２２７６９４号公報
【発明の開示】
【発明が解決しようとする課題】
【０００９】
有機ＥＬディスプレイのような自発光デバイスでは、表示する映像の種別に応じて焼き付きの現象が発生する。例えば、テキスト(文字)など、コントラストの強い画像を表示させる場合は、焼き付きが生じ易いため、確実に焼き付きを防止することが必要である。一方、映像が動画の場合は、焼き付きが比較的生じ難いため、焼き付き防止のための制御を軽減することができる。上記特許文献１には、入力信号がＰＣ入力信号、ＤＳＣ入力信号、ＴＶ信号のいずれであるかに応じて、補正処理を切り換える手法が記載されているが、映像の種別を考慮して補正処理を行うことは想定していない。このため、映像の種別によっては、焼き付き防止制御が過度に行われたり、あるいは焼き付き防止処理が不足するなどの問題が生じてしまう。
【００１０】
そこで、本発明は、上記問題に鑑みてなされたものであり、本発明の目的とするところは、映像信号に基づいて映像を判断し、焼き付き防止のための最適な制御を行うことが可能な、新規かつ改良された表示装置及び表示装置の駆動方法を提供することにある。
【課題を解決するための手段】
【００１１】
上記課題を解決するために、本発明のある観点によれば、映像信号を解析し、解析結果から映像の種別を判別する映像信号解析部と、前記映像の種別に応じて、映像信号のゲインの値を制御するゲイン制御部と、前記ゲイン制御部で制御されたゲインに基づいて映像信号を調整する映像信号調整部と、映像信号に応じて自発光する複数の画素が配置され、前記映像信号調整部により調整された映像信号に基づいて映像を表示する表示パネルと、を備える、表示装置が提供される。
【００１２】
上記構成によれば、映像信号が解析されて、解析結果から映像の種別が判別される。映像の種別に応じて、映像信号のゲインの値が制御され、このゲインに基づいて映像信号が調整される。そして、自発光する複数の画素が配置された表示パネルにより、調整された映像信号に基づいて映像が表示される。従って、映像の種別に応じてゲインの値を制御することによって、自発光型の表示パネルにおける焼き付き現象を確実に抑えることが可能となる。
【００１３】
また、映像信号の輝度のヒストグラムを検出するヒストグラム生成部を備え、前記映像信号解析部は、映像信号の複数のフレーム間で前記ヒストグラムを比較した結果に基づいて、映像信号が静止画に対応する信号であるか否かを解析するものであってもよい。
【００１４】
また、映像信号の輝度の分布を示すヒストグラムを検出するヒストグラム生成部と、複数のフレーム間で特徴点の動きベクトルを検出する動きベクトル検出部と、を備え、前記映像信号解析部は、映像信号の複数のフレーム間で前記ヒストグラムを比較した結果と、前記動きベクトルのベクトル量とに基づいて、映像信号が静止画、部分動画又は動画に対応する信号であるか否かを解析するものであってもよい。
【００１５】
また、映像信号の輝度の分布を示すヒストグラムを検出するヒストグラム生成部を備え、
前記映像信号解析部は、前記ヒストグラムから得られる映像信号の輝度の偏りに基づいて、映像信号がテキスト情報に対応する信号であるか否かを解析するものであってもよい。
【００１６】
また、映像信号の輝度の分布を示すヒストグラムを検出するヒストグラム生成部と、複数のフレーム間で特徴点の動きベクトルを検出する動きベクトル検出部と、を備え、前記映像信号解析部は、映像信号の複数のフレーム間で前記ヒストグラムを比較した結果と、前記動きベクトルのベクトル量とに基づいて、映像信号が静止画、部分動画又は動画に対応する信号であるか否かを解析し、静止画の継続する時間を記録する静止画継続時間記録部と、静止画と動画が交互に繰り返されたか否かを判定する判定部と、を備えるものであってもよい。
【００１７】
また、上記課題を解決するために、本発明の別の観点によれば、表示パネルにフレーム毎に入力される映像信号を解析し、解析結果から映像の種別を判別するステップと、前記映像の種別に応じて、映像信号のゲインの値を制御するステップと、前記ゲイン制御部で制御されたゲインに基づいて映像信号を調整するステップと、を備える、表示装置の駆動方法が提供される。
【００１８】
上記構成によれば、表示パネルにフレーム毎に入力される映像信号が解析されて、解析結果から映像の種別が判別される。映像の種別に応じて、映像信号のゲインの値が制御され、このゲインに基づいて映像信号が調整される。従って、映像の種別に応じてゲインの値を制御することによって、自発光型の表示パネルにおける焼き付き現象を確実に抑えることが可能となる。
【００１９】
また、前記映像の種別を判別するステップにおいて、映像信号の輝度の分布を示すヒストグラムを検出し、映像信号の複数のフレーム間で前記ヒストグラムを比較した結果に基づいて、映像信号が静止画に対応する信号であるか否かを解析するものであってもよい。
【００２０】
また、前記映像の種別を判別するステップにおいて、映像信号の輝度の分布を示すヒストグラムを検出するとともに、複数のフレーム間で特徴点の動きベクトルを検出し、映像信号の複数のフレーム間で前記ヒストグラムを比較した結果と、前記動きベクトルのベクトル量とに基づいて、映像信号が静止画、部分動画又は動画に対応する信号であるか否かを解析するものであってもよい。
【００２１】
また、前記映像の種別を判別するステップにおいて、映像信号の輝度の分布を示すヒストグラムを検出し、前記ヒストグラムから得られる映像信号の輝度の偏りに基づいて、映像信号がテキスト情報に対応する信号であるか否かを解析するものであってもよい。
【００２２】
また、前記映像の種別を判別するステップにおいて、映像信号の輝度の分布を示すヒストグラムを検出するとともに、複数のフレーム間で特徴点の動きベクトルを検出し、映像信号の複数のフレーム間で前記ヒストグラムを比較した結果と前記動きベクトルのベクトル量とに基づいて、映像信号が静止画又は動画に対応する信号であるか否かを解析し、静止画の継続する時間と、静止画と動画が交互に繰り返されたか否かによって、映像信号がスライドショーに対応する信号であるか否かを判定するものであってもよい。
【発明の効果】
【００２３】
本発明によれば、映像信号に基づいて映像を判断し、焼き付き防止のための最適な制御を行うことが可能な表示装置及び表示装置の駆動方法を提供することが可能となる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、説明は以下の順序で行う。
１．本発明の一実施形態にかかる表示装置の構成
２．静止画・部分動画判定ブロック１２２の構成
３．映像ゲインを設定するための各種情報について
４．スライドショー判定ブロックの構成
５．映像信号のゲイン調整
６．表示装置の駆動方法について
【００２５】
［１．本発明の一実施形態にかかる表示装置の構成］
図１は、本発明の一実施形態に係る表示装置２００の構成を示す模式図である。表示装置２００は、例えばテレビ受像器などの装置であり、放送波から得られた映像信号に基づいて、テレビ番組等を表示するものである。表示装置２００は、輝度調整装置１００と表示パネル３００とを備えている。映像信号は、輝度調整装置１００へ入力され、輝度が調整されて表示パネル３００に送られる。
【００２６】
本実施形態において、表示パネル３００は、自発光型のパネルによって構成される。本実施形態では、表示パネル３００として有機ＥＬパネルを例示する。表示パネル３００は、輝度が調整された映像信号を入力し、入力した信号およびパルスに応じて、自発光素子の一例である有機ＥＬ素子を発光させて動画像や静止画像を表示するものである。表示パネル３００は、画像を表示する面の形状が平面である。有機ＥＬ素子は電圧を印加すると発光する自発光型の素子であり、その発光量は電圧に比例する。従って、有機ＥＬ素子のＩＬ特性（電流−発光量特性）も比例関係を有することとなる。
【００２７】
表示パネル３００は、調整された映像信号に基づいて映像を表示する。表示パネル３００には、所定の走査周期で画素を選択する走査線と、画素を駆動するための輝度情報を与えるデータ線と、輝度情報に基づいて電流量を制御し、電流量に応じて発光素子である有機ＥＬ素子を発光させる画素回路とが、マトリクス状に配置されて構成されている。このように走査線、データ線および画素回路が構成されていることで、表示パネル３００は映像信号に従って映像を表示することができる。
【００２８】
図１に示すように、輝度調整装置１００は、ヒストグラム生成ブロック１０２、動きベクトル検出ブロック１０４、シーンチェンジ検出ブロック１０６、映像信号解析ブロック１１０、機能制御ブロック１２０、映像信号制御ブロック１２２を備える。図１に示す各機能ブロックは、ハードウェア（回路）または、演算処理装置（ＣＰＵ）と、これを機能させるためのソフトウェア（プログラム）によって構成することができる。各機能ブロックを演算処理装置とソフトウェアから構成した場合、そのプログラムは、表示装置２００が備えるメモリ、または外部から挿入されるメモリ等の記録媒体に格納されることができる。図２、図６、図８の各機能ブロックについても同様である。
【００２９】
ヒストグラム生成ブロック１０２、動きベクトル検出ブロック１０４、シーンチェンジ検出ブロック１０６には、映像信号が入力される。ヒストグラム生成ブロック１０２は、１フレーム毎の映像信号から、輝度とその出現頻度との関係を表すヒストグラムを生成する。動きベクトル検出ブロック１０４は、１フレーム毎の画像中から特定の特徴点を抽出し、フレーム毎に特徴点の動きを表す動きベクトルを検出する。シーンチェンジ検出ブロック１０６は、番組の本編からＣＭへの移行する際などのシーンチェンジを検出する。これらのヒストグラム、動きベクトル、シーンチェンジの情報は、映像信号解析ブロック１２０へ送られる。
【００３０】
映像信号解析ブロック１２０は、入力されたヒストグラム、動きベクトル、シーンチェンジの情報に基づいて、映像の種別を解析し、映像の種別を判断する。より詳細には、映像信号解析ブロック１２０は、映像信号を解析し、映像が静止画、動画、部分静止画、テキスト情報、スライドショー表示のいずれであるかを判断する。このため、映像信号解析ブロック１２０は、静止画・部分動画判定ブロック１２２、テキスト画像判定ブロック１２４、スライドショー判定ブロック１２６を備える。
【００３１】
ここで、部分動画とは、テキスト情報などの情報の画像の一部に、部分的に動画が表示される画像をいう。また、テキスト情報の画増は、文字情報が画面全体に表示された画像である。また、スライドショーの画像は、複数の静止画のスライドが所定の時間間隔で順次に表示される画像である。
【００３２】
［２．静止画・部分動画判定ブロックの構成］
図２は、静止画・部分動画判定ブロック１２２の構成を示す模式図である。静止画・部分動画判定ブロック１２２は、現在のヒストグラム情報を保持するメモリ１２２ａ、過去のヒストグラム情報を保持するメモリ１２２ｂ、ヒストグラム差分計測部１２２ｃ、ベクトル情報を保持するメモリ１２２ｄ、静止画判定部１２２ｅを備える。
【００３３】
メモリ１２２ａには、ヒストグラム生成ブロック１０２で生成されたヒストグラムが入力される。また、メモリ１２２ａには、過去にヒストグラム生成ブロック１０２で生成されたヒストグラムが保持されている。ここで、メモリ１２２ｂに格納されたヒストグラムは、メモリ１２２ａのヒストグラムに対して、例えば１フレーム前または数フレーム前の画像のヒストグラムである。また、メモリ１２２ｄには、動きベクトル検出ブロック１０４で生成された動きベクトルの情報が入力される。
【００３４】
図３は、ヒストグラムを示す模式図であって、図３（ａ）はメモリ１２２ａに格納されたヒストグラムを示しており、図３（ｂ）はメモリ１２２ｂに格納されたヒストグラムを示している。ここでは、映像が静止画である場合のヒストグラムを示している。図３（ａ）及び図３（ｂ）に示すように、静止画の場合は、１フレームまたは数フレームが経過しても映像信号は基本的に同一であるため、メモリ１２２ａに格納されたヒストグラムとメモリ１２２ｂに格納されたヒストグラムは同一の特性となる。
【００３５】
ここで、表示パネル３００には、最小表示単位のサブピクセルがマトリクス状に配置されている。各サブピクセルは、Ｒ（赤）、Ｇ（緑）、Ｂ（青）の各色に対応する。１つの画素（ピクセル）は、これら各色に対応する３つのサブピクセルにより構成される。
【００３６】
従って、各画素（ピクセル）の表示色は、Ｒ（赤）、Ｇ（緑）、Ｂ（青）の組み合わせにより表現される。各表示色のサブピクセルの輝度は、映像信号のサブピクセルデータによって与えられる。
【００３７】
また、各画素（ピクセル）に対応する単位での輝度は映像信号のピクセルデータによって与えられる。ヒストグラムの演算は、Ｒサブピクセルデータ、Ｇサブピクセルデータ、Ｂサブピクセルデータから演算される値について行う。例えば、３つのサブピクセルデータから算出される画素（ピクセル）単位の輝度値について行う。
【００３８】
本実施形態は、ピクセル単位でヒストグラム生成する場合、サブピクセル単位でヒストグラムを生成する場合のいずれにおいても用できる。ここで、ピクセル単位でヒストグラムを生成する場合は、対応する発光量をピクセル単位で考えるものとする。一方、サブピクセル単位でヒストグラムを生成する場合は、対応する発光量を各色に対応するピクセル単位で考えるものとする。
【００３９】
以下では、重複説明を回避するため、サブピクセル単位（色単位）でヒストグラムを生成するものとするがピクセル単位でヒストグラムを生成する場合についても同様に適用できる。
【００４０】
ヒストグラム差分計測部１２２ｃは、メモリ１２２ａに格納されたヒストグラムと、メモリ１２２ｂに格納されたヒストグラムとの差分を演算する。上述のように、映像が静止画の場合、メモリ１２２ａに格納されたヒストグラムとメモリ１２２ｂに格納されたヒストグラムは同一であるため、差分は０となる。
【００４１】
ヒストグラム差分計測部１２２ｃで算出されたヒストグラムの差分は、静止画判定部１２２ｄへ送られる。静止画判定部１２２ｄは、差分に基づいて、映像が静止画であるか否かを判定する。
【００４２】
図４は、ヒストグラムの差分に基づいて、静止画判定部１２２ｅで行われる判定の一例を示す模式図である。図４に示すように、差分の値に応じて、映像が静止画、部分動画または動画であるかが判定される。ここでは、判定のために３つのしきい値Ｔｈ１，Ｔｈ２，Ｔｈ３を設定している。
【００４３】
また、図５は、動きベクトルに基づいて、静止画判定部１２２ｅで行われる判定の一例を示す模式図である。図５に示すように、動きベクトルの値に応じて、映像が静止画、部分動画かまたは動画であるかが判定される。ここでは、判定のために３つのしきい値Ｔｈ４，Ｔｈ５を設定している。
【００４４】
図４に示すように、ヒストグラムの差分がしきい値Ｔｈ１以下の場合は、映像が静止画または部分動画であると判定される。この場合、映像が静止画と部分動画のいずれであるかは、動きベクトルによって判定される。図５に示すように、動きベクトルの値がしきい値Ｔｈ４以下の場合は、映像が静止画であると判定される。また、動きベクトルの値がしきい値Ｔｈ４よりも大きい場合は、映像が部分動画であると判定される。
【００４５】
次に、ヒストグラムの差分が、しきい値Ｔｈ１よりも大きく、しきい値Ｔｈ２以下の場合は、映像が部分動画または動画であると判定される。この場合、映像が部分動画と動画のいずれであるかは、動きベクトルによって判定される。図５に示すように、動きベクトルの値がしきい値Ｔｈ５以下の場合は、映像が部分動画であると判定される。また、動きベクトルの値がしきい値Ｔｈ５よりも大きい場合は、映像が動画であると判定される。
【００４６】
なお、上述の例では、ヒストグラムの差分とベクトル情報の双方を用いて静止画、部分動画、動画を判別しているが、静止画判定はヒストグラムの差分のみに基づいて行ってもよい。この場合、差分がしきい値Ｔｈ１以下の場合は静止画と判定し、差分がしきい値Ｔｈ１を超えた場合は部分動画と判定するようにしても良い。
【００４７】
［３．テキスト画像判定ブロックの構成］
図６は、テキスト画像判定ブロック１２４の構成を示す模式図である。図６に示すように、テキスト画像判定ブロック１２４は、ヒストグラム情報を保持するメモリ１２４ａ、複数のヒストグラム解析部１２４ｂ、テキスト判定部１２４ｃを備える。
【００４８】
メモリ１２４ａには、ヒストグラム生成ブロック１０２で生成されたヒストグラムが入力される。ヒストグラム解析部１２４ｂは、いくつかのパターンに従ってヒストグラムを解析し、解析結果をテキスト判定部１２４ｃへ送る。テキスト判定部１２４ｃは、ヒストグラム解析部１２４ｂから送られた解析結果に基づいて、映像がテキスト情報であるか否かを判定する。
【００４９】
図７は、ヒストグラムに基づいて映像がテキスト情報であるか否かを判定する手法を示す模式図である。映像が通常の静止画、動画等の場合は、図７（ａ）に示すように、高輝度側及び低輝度側で出現頻度の高い分布が得られる。一方、図７（ｂ）に示すよう映像がテキスト情報の場合は、テキストに対応する特定の輝度（図７（ｂ）中に示す範囲ｄで示される輝度）において出現頻度が高くなる。従って、輝度の分布に偏りがあるか否かに応じて、映像がテキスト情報であるか否かを判定することができる。
【００５０】
図７（ｂ）のような輝度の偏りの存在を判別するため、ヒストグラム解析部１２４ｂは、隣り合う輝度の出現頻度の差分ｙ２−ｙ１，ｙ３−ｙ２，・・・，ｙ（ｎ）−ｙ（ｎ−１）を演算し、その合計を算出する。また、ヒストグラム解析部１２４ｂは、隣り合う輝度の出現頻度を除算し（ｙ２／ｙ１，ｙ３／ｙ２，・・・，ｙ（ｎ）／ｙ（ｎ−１））、その合計を算出する。差分結果の合計、及び除算結果の合計はテキスト判定部１２４ｃへ送られる。ここで、差分結果の合計、及び除算結果の合計は、図７（ｂ）に示すような分布の偏りがある場合ほど、大きくなる。
【００５１】
テキスト判定部１２４ｃは、差分結果の合計が所定のしきい値を超えており、かつ除算結果の合計が所定のしきい値を超えている場合は、映像がテキスト情報であると判定し、判定結果を出力する。これにより、映像がテキスト情報であるか否かを判定することが可能となる。
【００５２】
［４．スライドショー判定ブロックの構成］
図８は、スライドショー判定ブロック１２６の構成を示す模式図である。スライドショー判定ブロック１２６は、現在のヒストグラム情報を保持するメモリ１２６ａ、過去のヒストグラム情報を保持するメモリ１２６ｂ、ヒストグラム差分計測部１２６ｃ、ベクトル情報を保持するメモリ１２６ｄ、静止画判定部１２６ｅを備える。また、スライドショー判定ブロック１２６は、静止画継続時間記録部１２６ｆ、動画継続時間記録部１２６ｇ、静止画／動画繰り返し判定部１２６ｈを備える。
【００５３】
メモリ１２６ａ，１２６ｂ、ヒストグラム差分計測部１２６ｃ、ベクトル情報を保持するメモリ１２６ｄ、静止画判定部１２６ｅの構成は、静止画・部分動画判定ブロック１２２と同様である。静止画継続時間記録部２６ｆは、静止画が継続している時間を記録する。また、動画継続時間記録部１２６ｇは、動画が継続している時間を記録する。
【００５４】
静止画／動画繰り返し判定部１２６ｈは、静止画の継続時間と、動画の継続時間とに基づいて、静止画が繰り返されているか否かを判定し、映像がスライドショーであるか否かを判定する。より詳細には、静止画の継続時間と動画の継続時間とに基づいて、静止画と動画が交互に繰り返されており、且つ、個々の静止画の継続時間が同一である場合は、映像がスライドショーであると判定する。これにより、映像がスライドショーであるか否かを判定することが可能となる。
【００５５】
［５．映像信号のゲイン調整］
以上のように、本実施形態の輝度調整装置１００においては、映像信号を直接判断することで、映像の種別を判定することができる。そして、映像信号解析ブロック１１０にて映像の種別が判別されると、判別結果は機能制御ブロック１２０へ送られる。機能制御ブロック１２０は、映像の輝度、消費電力などの表示装置２００の各機能を制御するパラメータを演算する。図９は、機能制御ブロック１２０によって制御される、映像信号のゲインを示す特性図である。機能制御ブロック１２０は、映像の種別に応じて、図９のようにゲインを変化させる。
【００５６】
具体的には、映像が動画以外の映像と判定された場合、焼き付きの発生が懸念されるため、ゲインを低下させる制御が行われる。図９に示すように、映像がテキスト情報の場合、焼き付きに対して最も厳しいため、判定直後からゲインを比較的急峻に低下させる処理を行う。また、映像が静止画または部分動画の場合は、テキスト情報の場合と比較すると、緩やかにゲインを低下させる。また、映像がスライドショーの場合は、静止画または部分動画の場合と比較すると、より緩やかにゲインを低下させる。このように、映像の種別に応じてゲインを低下させることで、焼き付き防止のためのゲインの低下量を最小限に抑えることが可能となる。
【００５７】
［６．表示装置の駆動方法について］
次に、本発明の一実施形態にかかる表示装置２００の駆動方法について説明する。図１０は、本発明の一実施形態にかかる表示装置２００の駆動方法について説明する流れ図である。以下、図１０を用いて表示装置２００の駆動方法について詳細に説明する。
【００５８】
まず、ステップＳ１０では、輝度調整装置１００において、映像信号を取得する。次のステップＳ１２では、映像信号から、ヒストグラム、動きベクトル、シーンチェンジが検出される。
【００５９】
次のステップＳ１４以降では、映像信号が映像信号解析ブロック１１０へ入力され、映像信号の解析が行われる。すなわち、ステップＳ１４では、映像信号が静止画、部分動画、動画のいずれであるかが判定される。次のステップＳ１６では、映像信号がテキスト情報であるか否かが判定される。次のステップＳ１８では、映像信号がスライドショーであるか否かが判定される。
【００６０】
ステップＳ２０では、映像信号の判定結果に基づいて、機能制御ブロック１２０により、映像信号に乗算されるゲインが算出される。次のステップＳ２２では、ステップＳ２０で算出されたゲインが映像信号に乗算される。
【００６１】
以上、本発明の一実施形態にかかる表示装置２００の駆動方法について説明した。なお、上述した表示装置２００の駆動方法は、表示装置２００の内部の記録媒体に予め本発明の一実施形態にかかる表示装置１００の駆動方法を実行するように作成されたコンピュータプログラムを記録しておき、当該プログラムを演算装置（例えばＣＰＵなど）が順次読み出して実行することによって行ってもよい。
【００６２】
以上説明したように本実施形態によれば、表示パネル３００へ入力される映像信号がリアルタイムに解析される。これにより、現在表示している映像が通常の動画信号なのか、スライドショーのような特定アプリケーションなのか、データ放送のようなテキストデータを多く含む映像信号なのか、テレテキストのようなテキストベースの情報画面なのかを判断することができる。従って、有機ELディスプレイをはじめとする自発光デバイスにおいて、映像の種別に応じて、焼きつき防止機能を動かすための様々なトリガーを提供することができる。
【００６３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６４】
【図１】本発明の一実施形態に係る表示装置の構成を示す模式図である。
【図２】静止画・部分動画判定ブロックの構成を示す模式図である。
【図３】メモリに格納されたヒストグラムを示す模式図である。
【図４】ヒストグラムの差分に基づいて、静止画判定部で行われる判定を示す模式図である。
【図５】動きベクトルに基づいて、静止画判定部で行われる判定を示す模式図である。
【図６】テキスト画像判定ブロックの構成を示す模式図である。
【図７】ヒストグラムに基づいて映像がテキスト情報であるか否かを判定する手法を示す模式図である。
【図８】スライドショー判定ブロックの構成を示す模式図である。
【図９】機能制御ブロックによって制御される、映像信号のゲインを示す特性図である。
【図１０】表示装置の駆動方法を示すフローチャートである。
【符号の説明】
【００６５】
１１０    映像信号解析ブロック
１２０    機能制御ブロック
１２２    映像信号制御部
２００    表示装置
３００    表示パネル
【図１】
2010139783.tif 000003
【図２】
2010139783.tif 000004
【図３】
2010139783.tif 000005
【図４】
2010139783.tif 000006
【図５】
2010139783.tif 000007
【図６】
2010139783.tif 000008
【図７】
2010139783.tif 000009
【図８】
2010139783.tif 000010
【図９】
2010139783.tif 000011
【図１０】
2010139783.tif 000012